(57)【要約】【課題】  遊技機用筐体の取手孔を確実に閉塞するとともに取付けの作業性を向上する。【解決手段】  取手孔カバー３５のカバー本体部５０を筐体３の外側から取手孔３３に挿入すると、カバー本体部５０の上面５０１および下面５０２が取手孔３３の内周面３３１に摺接しつつ案内され、次に傾斜突部６３の案内部および案内用突部６２が取手孔３３の内周面３３１に摺接しつつ案内され、続いて傾斜突部６３の当接部および可動体６１２が内周面３３１に摺接しつつ案内される。嵌挿部６０が取手孔３３の内周面３３１に嵌まり込むと、抜け止め用突部５２が取手孔３３の周縁の筐体３の内側面３１１の上部に係止し、可動体６１２が取手孔３３の内周面３３１に押されて揺動して、フック６１４が取手孔３３の周縁の筐体３の内側面３１１の下部に係止する。また、フランジ部７０が取手孔３３の周縁の筐体３の外側面３１２に設けられたフランジ用凹部３１２ａに当接する。【選択図】        図８
2005073726.tif 000002
【特許請求の範囲】
【請求項１】
遊技機の筐体に穿設された取手孔に取り付けられる取手孔カバーにおいて、
奥部が閉塞された筒状を有し、前記筐体の外側から前記取手孔に挿入されるカバー本体部と、
前記カバー本体部の開口に、前記カバー本体部の軸線に対してその軸線が傾斜して延設され前記取手孔の内周面に嵌まり込む短筒状の嵌挿部と、
前記嵌挿部の開口端に設けられたフランジ部と、
前記嵌挿部の外周面に設けられた連結部と、
弾性を有した棒状であり、そのほぼ中央部で前記連結部によって揺動可能に支持された可動体と、
前記可動体の前記カバー本体部側に位置する先端に形成されたフックとを備え、
前記カバー本体部の前記取手孔への挿入に伴い、前記可動体が前記取手孔の内周面を摺接し、
前記取手孔の内周面への前記嵌挿部の嵌まり込みにより、前記可動体が揺動して前記フックが前記取手孔の周縁の前記筐体の内側面に係止するとともに、前記フランジ部が前記取手孔の周縁の前記筐体の外側面に当接することを特徴とする遊技機用筐体の取手孔カバー。
【請求項２】
遊技機の筐体に穿設された取手孔に取り付けられる取手孔カバーにおいて、
奥部が閉塞された筒状を有し、前記筐体の外側から前記取手孔に挿入されるカバー本体部と、
前記カバー本体部の開口に延設され、前記カバー本体部側が前記取手孔の中心軸に接近する方向に傾斜した係止側面と、前記中心軸とほぼ平行な前記係止側面の反対面とを有し、前記取手孔の内周面に嵌まり込む短筒状の嵌挿部と、
前記嵌挿部の開口端に設けられたフランジ部と、
前記嵌挿部の前記係止側面の外周面に設けられた連結部と、
弾性を有した棒状であり、そのほぼ中央部で前記連結部によって揺動可能に支持された可動体と、
前記可動体の前記カバー本体部側に位置する先端に形成されたフックとを備え、
前記カバー本体部の前記取手孔への挿入に伴い、前記可動体が前記取手孔の内周面を摺接し、
前記取手孔の内周面への前記嵌挿部の嵌まり込みにより、前記可動体が揺動して前記フックが前記取手孔の周縁の前記筐体の内側面に係止するとともに、前記フランジ部が前記取手孔の周縁の前記筐体の外側面に当接することを特徴とする遊技機用筐体の取手孔カバー。
【請求項３】
前記可動体は、前記フックが前記嵌挿部の外周面に接近するように付勢されていることを特徴とする請求項１または２に記載の遊技機用筐体の取手孔カバー。
【請求項４】
前記取手孔はほぼ矩形で、
前記カバー本体部および前記嵌挿部の断面外形は前記取手孔とほぼ同一形状を有し、
前記可動体は前記嵌挿部の下面に少なくとも１個設けられ、
前記嵌挿部の上面には、前記嵌挿部の前記取手孔への嵌まり込みにより前記取手孔の周縁の前記筐体の内側面の上部に係止する抜け止め用突部が設けられていることを特徴とする請求項１ないし３のいずれかに記載の遊技機用筐体の取手孔カバー。
【請求項５】
前記嵌挿部の下面には、前記取手孔の内周面への前記嵌挿部の嵌まり込みにより該内周面に当接する当接用突部が、前記可動体に並んで少なくとも１個設けられていることを特徴とする請求項４に記載の遊技機用筐体の取手孔カバー。
【請求項６】
前記カバー本体部の下面の前記可動体の挿入方向の奥側には、前記カバー本体部の前記取手孔への挿入を案内する案内用突部が設けられていることを特徴とする請求項４または５に記載の遊技機用筐体の取手孔カバー。
【請求項７】
前記嵌挿部が前記取手孔の内周面に嵌まり込んだ状態で、前記カバー本体部の奥部の上端が前記嵌挿部の上面より上方に位置していることを特徴とする請求項１ないし６のいずれかに記載の遊技機用筐体の取手孔カバー。
【発明の詳細な説明】
【技術分野】
【０００１】
本発明は、スロットマシンなどの遊技機用筐体に穿設された取手孔を閉塞するための取手孔カバーに関するものである。
【背景技術】
【０００２】
筐体内に遊技のための機器や制御基板などが内蔵されているスロットマシンなどの遊技機においては、遊技機を持ち運ぶ際の手掛かりとするために、たとえば筐体の両側面に取手孔が穿設されている。この取手孔は、持ち易さの観点から通常貫通孔とされる。従来、このような貫通孔に取り付けるための取手カバーが提案されている（例えば、特許文献１参照）。この特許文献１に記載の取手カバーは、軟質材料からなる環状で、金属製のビール樽の手掛け穴の内周に嵌着することによりビール樽を持ち易くしている。
【０００３】
【特許文献１】特開平１０−１１４１号公報（段落［００１３］）
【発明の開示】
【発明が解決しようとする課題】
【０００４】
ところで、上記特許文献１に記載の取手カバーは、遊技機用筐体の取手孔カバーには適さない。というのは、上記従来の取手カバーは環状で貫通孔を閉塞していないため、これを遊技機用筐体の取手孔カバーとして用いると、その隙間から針金などを差し込むことにより内部装置を傷付けて誤作動を起こさせるなどの不正行為が行われるおそれがあるからである。一方、本願の出願人は、遊技機用筐体の取手孔を確実に閉塞する取手孔カバーを提案している（特願２００２−１９１６０６）。ところが、この取手孔カバーは、内側からねじで筐体に取り付けるようにしているため、取手孔を確実に閉塞して不正防止効果を高めることができるものの、取付けの作業性があまり良好なものではなかった。
【０００５】
本発明は、上記課題に鑑みてなされたもので、遊技機用筐体の取手孔を確実に閉塞することができるとともに、取付けの作業性を向上することができる遊技機用筐体の取手孔カバーを提供することを目的とする。
【課題を解決するための手段】
【０００６】
上記目的を達成するために、本発明は、遊技機の筐体に穿設された取手孔に取り付けられる取手孔カバーにおいて、奥部が閉塞された筒状を有し、前記筐体の外側から前記取手孔に挿入されるカバー本体部と、前記カバー本体部の開口に、前記カバー本体部の軸線に対してその軸線が傾斜して延設され前記取手孔の内周面に嵌まり込む短筒状の嵌挿部と、前記嵌挿部の開口端に設けられたフランジ部と、前記嵌挿部の外周面に設けられた連結部と、弾性を有した棒状であり、そのほぼ中央部で前記連結部によって揺動可能に支持された可動体と、前記可動体の前記カバー本体部側に位置する先端に形成されたフックとを備え、前記カバー本体部の前記取手孔への挿入に伴い、前記可動体が前記取手孔の内周面を摺接し、前記取手孔の内周面への前記嵌挿部の嵌まり込みにより、前記可動体が揺動して前記フックが前記取手孔の周縁の前記筐体の内側面に係止するとともに、前記フランジ部が前記取手孔の周縁の前記筐体の外側面に当接することを特徴としている（請求項１）。
【０００７】
また、上記目的を達成するために、本発明は、遊技機の筐体に穿設された取手孔に取り付けられる取手孔カバーにおいて、奥部が閉塞された筒状を有し、前記筐体の外側から前記取手孔に挿入されるカバー本体部と、前記カバー本体部の開口に延設され、前記カバー本体部側が前記取手孔の中心軸に接近する方向に傾斜した係止側面と、前記中心軸とほぼ平行な前記係止側面の反対面とを有し、前記取手孔の内周面に嵌まり込む短筒状の嵌挿部と、前記嵌挿部の開口端に設けられたフランジ部と、前記嵌挿部の前記係止側面の外周面に設けられた連結部と、弾性を有した棒状であり、そのほぼ中央部で前記連結部によって揺動可能に支持された可動体と、前記可動体の前記カバー本体部側に位置する先端に形成されたフックとを備え、前記カバー本体部の前記取手孔への挿入に伴い、前記可動体が前記取手孔の内周面を摺接し、前記取手孔の内周面への前記嵌挿部の嵌まり込みにより、前記可動体が揺動して前記フックが前記取手孔の周縁の前記筐体の内側面に係止するとともに、前記フランジ部が前記取手孔の周縁の前記筐体の外側面に当接することを特徴としている（請求項２）。
【０００８】
また、本発明は、前記可動体は、前記フックが前記嵌挿部の外周面に接近するように付勢されていることを特徴としている（請求項３）。
【０００９】
また、本発明は、前記取手孔はほぼ矩形で、前記カバー本体部および前記嵌挿部の断面外形は前記取手孔とほぼ同一形状を有し、前記可動体は前記嵌挿部の下面に少なくとも１個設けられ、前記嵌挿部の上面には、前記嵌挿部の前記取手孔への嵌まり込みにより前記取手孔の周縁の前記筐体の内側面の上部に係止する抜け止め用突部が設けられていることを特徴としている（請求項４）。
【００１０】
また、本発明は、前記嵌挿部の下面には、前記取手孔の内周面への前記嵌挿部の嵌まり込みにより該内周面に当接する当接用突部が、前記可動体に並んで少なくとも１個設けられていることを特徴としている（請求項５）。
【００１１】
また、本発明は、前記カバー本体部の下面の前記可動体の挿入方向の奥側には、前記カバー本体部の前記取手孔への挿入を案内する案内用突部が設けられていることを特徴としている（請求項６）。
【００１２】
また、本発明は、前記嵌挿部が前記取手孔の内周面に嵌まり込んだ状態で、前記カバー本体部の奥部の上端が前記嵌挿部の上面より上方に位置していることを特徴としている（請求項７）。
【発明の効果】
【００１３】
請求項１の発明によれば、カバー本体部の取手孔への挿入に伴い、弾性を有する可動体がたとえば撓みつつ取手孔の内周面を摺接するため、カバー本体部に続いて嵌挿部を筐体の外側から取手孔に挿入する際に妨げとならない。そして、取手孔の内周面への嵌挿部の嵌まり込みにより、連結部によりほぼ中央部で支持された可動体が揺動することとなり、この揺動によりフックが取手孔の周縁の筐体の内側面に係止する一方、フランジ部が取手孔の周縁の筐体の外側面に当接する。このフックの筐体の内側面への係止と、フランジ部の筐体の外側面への当接とによって筐体に確実に固定されることとなり、奥部が閉塞された筒状を有するカバー本体部により、取手孔を確実に閉塞することが可能になる。また、ねじなどの別の固定部材を用いておらず、カバー本体部を取手孔に挿入して嵌挿部を取手孔に嵌め込むだけでよいので、取手孔への取付けの作業性を大幅に向上することができる。
【００１４】
また、請求項２の発明によれば、カバー本体部の取手孔への挿入に伴い、弾性を有する可動体がたとえば撓みつつ取手孔の内周面を摺接するため、カバー本体部に続いて嵌挿部を筐体の外側から取手孔に挿入する際に妨げとならない。そして、取手孔の内周面への嵌挿部の嵌まり込みにより、連結部によりほぼ中央部で支持された可動体が揺動することとなり、この揺動によりフックが取手孔の周縁の筐体の内側面に係止する一方、フランジ部が取手孔の周縁の筐体の外側面に当接する。このフックの筐体の内側面への係止と、フランジ部の筐体の外側面への当接とによって筐体に確実に固定されることとなり、奥部が閉塞された筒状を有するカバー本体部により、取手孔を確実に閉塞することが可能になる。また、ねじなどの別の固定部材を用いておらず、カバー本体部を取手孔に挿入して嵌挿部を取手孔に嵌め込むだけでよいので、取手孔への取付けの作業性を大幅に向上することができる。
【００１５】
また、請求項３の発明によれば、可動体は、フックが嵌挿部の外周面に接近するように付勢されているため、カバー本体部に続いて嵌挿部を筐体の外側から取手孔に挿入する際に、フックが挿入の妨げとなるのを確実に防止することができる。なお、たとえば連結部と可動体と嵌挿部とを合成樹脂により一体的に形成することによって、フックが嵌挿部の外周面に接近するように連結部が可動体を付勢するような構成を容易に実現できる。
【００１６】
また、請求項４の発明によれば、嵌挿部の取手孔への嵌まり込みにより、嵌挿部の上面に設けられた抜け止め用突部が取手孔の周縁の筐体の内側面の上部に係止するとともに、嵌挿部の下面に設けられた可動体のフックが取手孔の周縁の筐体の内側面の下部に係止するため、筐体の内側面の上部および下部の係止によって、筐体に確実に固定することができる。
【００１７】
また、請求項５の発明によれば、嵌挿部の下面に可動体に並んで少なくとも１個設けられている当接用突部が、取手孔の内周面への嵌挿部の嵌まり込みにより該内周面に当接するため、可動体および当接用突部に平均した力が加わることから、可動体のみに無理な力が加えられて可動体が破損するような事態を避けることができる。
【００１８】
また、請求項６の発明によれば、カバー本体部の取手孔への挿入を案内する案内用突部が設けられているため、カバー本体部を取手孔に滑らかに挿入することができる。また、この案内用突部は、カバー本体部の下面の可動体の挿入方向の奥側に設けられているため、可動体が取手孔の内周面に衝突して破損するのを未然に防止することができる。
【００１９】
また、請求項７の発明によれば、嵌挿部が取手孔の内周面に嵌まり込んだ状態で、カバー本体部の奥部の上端が嵌挿部の上面より上方に位置しているため、遊技機用筐体を持ち運ぶべく取手孔カバーに手を差し込むと指先が嵌挿部に対してカバー本体部の奥部で上に向くことから、遊技機用筐体の持ち運びを容易に行うことができる。
【発明を実施するための最良の形態】
【００２０】
図１はスロットマシンの外観の要部を示す斜視図である。このスロットマシンは、例えば図１に示すように構成されている。即ち、図１に示すように、スロットマシン１では、筐体３の前面開口が前面パネル５により開閉自在に閉塞され、この前面パネル５のほぼ中央高さの位置に操作板７が配設されると共に、この操作板７の上方に正面板９が配設されている。
【００２１】
この正面板９には３個の図柄表示窓１１が並設されており、各図柄表示窓１１から筐体３内に設けられた回転リール（図示省略）の図柄が視認可能になっている。また、操作板７には、クレジットされているメダルの枚数を減じてメダル投入に代えるためのベットスイッチ１５、各回転リールの回転を開始させるためのスタートスイッチ１７、各回転リールの回転をそれぞれ停止させるためのストップスイッチ１９、メダル投入口２１、および貯留メダルを払い出すための精算スイッチ２３が設けられている。また、筐体３の内部には、それぞれ図示を省略しているが、各回転リールを回転駆動させるモータ、遊技メダルを払い出すホッパーユニット、電源ボックスや、遊技などの制御を行う制御基板などが内蔵されている。
【００２２】
筐体３の左右の側板３１には、このスロットマシン１を運搬する際に持ち上げやすいように、側板３１を貫通する取手孔３３がそれぞれ穿設されている。この取手孔３３は、側板３１の高さ方向中央よりもやや上方に穿設された横長のほぼ矩形形状になっている。この取手孔３３には、以下に説明する取手孔カバーが取り付けられている。なお、図１では、説明の便宜上、取手孔カバーの図示を省略している。
【００２３】
図２は本発明の一実施形態である取手孔カバーを斜め下から見た斜視図、図３は同取手孔カバーを斜め上から見た斜視図である。また、図４〜図６は取手孔カバーを示す図で、図４は平面図、図５は底面図、図６は左側面図である。なお、説明の便宜上、図６は図４および図５に比べて拡大して示している。
【００２４】
この取手孔カバー３５は、合成樹脂（例えばポリプロピレン）により一体的に形成されており、奥部５１が閉塞されたほぼ四角筒状のカバー本体部５０と、カバー本体部５０の開口に延設された短い四角筒状の嵌挿部６０と、嵌挿部６０の開口端に設けられたフランジ部７０とを備えている。ここで、カバー本体部５０および嵌挿部６０の断面外形は、取手孔３３とほぼ同一形状、すなわち横長のほぼ矩形になっている。
【００２５】
また、図６に示すように、カバー本体部５０は、上面５０１および下面５０２がほぼ平行で、奥部５１側（図中、左側）が高くなるように傾斜して形成されており、側面視ほぼ平行四辺形になっている。これに対して、嵌挿部６０の上面６０１は水平に形成され、下面６０２はカバー本体部５０の下面５０２がそのまま延設されて同一の傾斜を有している。その結果、厳密には嵌挿部６０の外形は四角錐台状であって、嵌挿部６０の軸線Ｌ１はほぼ水平に近くなっており、カバー本体部５０の軸線Ｌ２は、奥部５１側（図中、左側）が嵌挿部６０の軸線Ｌ１より上向きになっている。
【００２６】
図５に示すように、嵌挿部６０の下面６０２には、同図中、左右の両端に近い位置に、それぞれ可動部６１が設けられている。この可動部６１は、図６に示すように、嵌挿部６０に延設された基部６１１と、弾性を有する棒状の可動体６１２と、可動体６１２を図中、左右方向のほぼ中央で揺動可能に支持する連結部６１３とを備えている。また、可動体６１２のカバー本体部５０側に位置する先端に、フック６１４が形成されている。取手孔カバー３５は、合成樹脂により一体的に形成されている。このため、連結部６１３は可撓性を有しており、その可撓性によって連結部６１３は可動体６１２を付勢して支持している。すなわち、取手孔カバー３５が単体の場合には、連結部６１３はフック６１４がカバー本体部５０の下面に接近するように可動体６１２を付勢しており、可動体６１２は、カバー本体部５０の軸線Ｌ２とほぼ平行な方向に向いている。
【００２７】
また、図５に示すように、可動部６１の挿入方向の奥側（同図中、上方）のカバー本体部５０の下面５０２には、それぞれ案内用突部６２が設けられている。この案内用突部６２は、図２および図５に示すように、平面視コ字形状に形成されている。また、案内用突部６２は、カバー本体部５０の奥側から手前側（図２中、左側から右側）に向けて高くなるように傾斜して設けられている。この案内用突部６２によって、取手孔３３へのカバー本体部５０の挿入を案内することができるとともに、取手孔３３へのカバー本体部５０の挿入の際に、側板３１への衝突から可動部６１を保護することができる。
【００２８】
また、図２および図５に示すように、両端の可動部６１の間には、薄板状の傾斜突部６３が複数（この実施形態では５個）並んで設けられている。この傾斜突部６３は、取手孔３３へのカバー本体部５０の挿入方向（図５中、上下方向）に長く、カバー本体部５０の下面５０２から嵌挿部６０の下面６０２に亘って設けられている。傾斜突部６３のうちカバー本体部５０の下面５０２に対応する部分である案内部６３１は、側面視で案内用突部６２とほぼ同一の傾斜を有するように形成されている。また、傾斜突部６３のうち嵌挿部６０の下面６０２に対応する部分である当接部６３２は、図６に示すように、表面が嵌挿部６０の上面６０１とほぼ平行になるように形成されている。
【００２９】
また、図４および図６に示すように、カバー本体部５０の上面５０１には、嵌挿部６０の上面６０１との境界に沿って、抜け止め用突部５２が設けられている。この抜け止め用突部５２は、取手孔カバー３５の幅方向（図４中、左右方向）に長く形成され、図６に示すように、嵌挿部６０の上面６０１に対して垂直に立設されるように、側面視三角形に形成されている。このように、この実施形態では、傾斜突部６３の当接部６３２が本発明の「当接用突部」に相当する。
【００３０】
次に、取手孔カバー３５の取手孔３３への取付けについて説明する。図７は筐体３の側板３１の部分断面図、図８は取手孔カバー３５が取手孔３３に取り付けられた状態を示す部分断面図である。
【００３１】
取手孔カバー３５のカバー本体部５０を筐体３の外側（図７および図８中、右側）から取手孔３３に挿入すると、カバー本体部５０の上面５０１および下面５０２が取手孔３３の内周面３３１に摺接しつつ挿入が案内される。次に、傾斜突部６３の案内部６３１および案内用突部６２が取手孔３３の内周面３３１に摺接しつつ挿入がさらに案内される。さらに続いて、傾斜突部６３の当接部６３２および可動体６１２が内周面３３１に摺接しつつ挿入が案内される。このとき、可動体６１２は弾性を有し、たとえば撓みつつ内周面３３１に摺接するため、可動体６１２が取手孔３３への挿入の妨げとなることはない。また、連結部６１３はフック６１４がカバー本体部５０の下面５０２に接近するように可動体６１２を付勢しているため、フック６１４が嵌挿部６０の取手孔３３への挿入の妨げとなることはない。
【００３２】
そして、嵌挿部６０が取手孔３３の内周面３３１に嵌まり込むと、抜け止め用突部５２が取手孔３３の上側周縁の筐体３の内側面３１１に係止するとともに、可動体６１２が取手孔３３の内周面３３１により押されて付勢力に抗して揺動して、フック６１４が取手孔３３の下側周縁の筐体３の内側面３１１に係止する。ここで、可動体６１２は、取手孔３３の内周面３３１により押されているため、フック６１４の係止が確実に行われる。さらにまた、フランジ部７０が取手孔３３の周縁の筐体３の外側面３１２に設けられたフランジ嵌挿用凹部３１２ａに当接する。これによって、取手孔カバー３５が確実に筐体３に固定される。
【００３３】
このように、この実施形態によれば、嵌挿部６０の下面６０２に設けられた連結部６１３と、可動体６１２のカバー本体部５０側に位置する先端に形成されたフック６１４と、連結部６１３によって、フック６１４がカバー本体部５０の下面５０２に接近する方向に付勢されるとともに揺動可能に支持された可動体６１２とを備え、取手孔３３の内周面３３１への嵌挿部６０の嵌まり込みにより、可動体６１２が揺動してフック６１４が取手孔３３の周縁の筐体３の内側面３１１に係止するとともに、フランジ部７０が取手孔３３の周縁の筐体３の外側面３１２に当接するため、フック６１４による係止とフランジ部７０による当接とによって、取手孔カバー３５を確実に筐体３の取手孔３３に取り付けることができる。また、ねじなどの別の固定部材を用いておらず、カバー本体部５０を取手孔３３に挿入して嵌挿部６０を取手孔３３に嵌め込むだけでよいので、取手孔３３への取付けの作業性を大幅に向上することができる。
【００３４】
また、この実施形態によれば、奥部５１が閉塞された四角筒状のカバー本体部５０を用い、しかもフランジ部７０を取手孔３３の凹部３１２ａに嵌挿させているため、筐体３の側板３１を貫通して穿設されている取手孔３３をほぼ密閉することができ、外部から筐体３内に異物を挿入して行う不正ないわゆるゴト行為を確実に防止することができる。
【００３５】
また、この実施形態によれば、合成樹脂で形成された可動体６１２は弾性を有するため、可動体６１２が取手孔３３への挿入の妨げとなるのを防止することができる。また、連結部６１３と可動体６１２と基部６１１と嵌挿部６０とを合成樹脂により一体的に形成しているため、可撓性を有し、その可撓性により可動体６１２を付勢して支持する連結部６１３を簡易な構成で容易に実現することができる。また、連結部６１３は、フック６１４がカバー本体部５０の下面５０２に接近するように可動体６１２を付勢しているため、フック６１４がカバー本体部５０の取手孔３３への挿入の妨げとなるのを確実に防止できる。
【００３６】
また、この実施形態によれば、カバー本体部５０の下面５０２から嵌挿部６０の下面６０２に亘って、可動部６１に並んで傾斜突部６３を設けており、傾斜突部６３のうち嵌挿部６０の下面６０２に対応する部分である当接部６３２が、取手孔３３の内周面３３１への嵌挿部６０の嵌まり込みにより該内周面３３１に当接するため、可動体６１２および当接部６３２に平均した力が加わることから、可動体６１２のみに無理な力が加えられて可動体６１２が破損するような事態を避けることができる。
【００３７】
また、この実施形態によれば、カバー本体部５０の下面５０２の可動体６１２の挿入方向の奥側には、カバー本体部５０の取手孔３３への挿入を案内する案内用突部６２が設けられているため、カバー本体部５０を取手孔３３に滑らかに挿入することができる。また、この案内用突部６２によって、可動体６１２が取手孔３３の内周面３３１に衝突して破損するのを未然に防止することができる。
【００３８】
また、この実施形態によれば、嵌挿部６０が取手孔３３の内周面３３１に嵌まり込んだ状態で、カバー本体部５０の奥部５１の上端５１ａが嵌挿部６０の上面６０１より上方に位置しているため、筐体３を持ち運ぶべく取手孔カバー３５に手を差し込むと指先が嵌挿部６０に対してカバー本体部５０の奥部５１で上に向くことから、筐体３の持ち運びを容易に行うことができる。
【００３９】
なお、本発明は上記実施形態に限定されるものではなく、その趣旨を逸脱しない限りにおいて上述したもの以外に種々の変更を行うことが可能である。例えば図９、図１０に示す形態の取手孔カバー３５でもよい。図９は別の形態の取手孔カバーを示す左側面図、図１０は図９の取手孔カバーが取手孔に取り付けられた状態を示す部分断面図である。図９および図１０では、上記実施形態と同一構成要素には同一符号を付している。
【００４０】
この形態では、カバー本体部５０の上面５０１は、ほぼ水平、すなわち取手孔３３の中心軸Ｌ３とほぼ平行になっており、カバー本体部５０の下面５０２は奥部５１側が中心軸Ｌ３に接近する方向に傾斜している。また、嵌挿部６０の上面６０１はほぼ水平で、カバー本体部５０の上面５０１とほぼ同一面を形成すべく上面５０１に延設されている。また、嵌挿部６０の下面６０２は、カバー本体部５０側が中心軸Ｌ３に接近する方向に傾斜しており、カバー本体部５０の下面５０２とほぼ同一面を形成すべく下面５０２に延設されている。このように、この形態では、嵌挿部６０の下面６０２が本発明の「係止側面」に相当し、嵌挿部６０の上面６０１が本発明の「係止側面の反対面」に相当する。
【００４１】
そして、図９および図１０に示す取手孔カバー３５の取手孔３３への取付手順は上記実施形態と全く同様であり、この形態でも、取手孔カバー３５を確実に筐体３の取手孔３３に取り付けることができ、取手孔３３への取付けの作業性を大幅に向上することができるなど、上記実施形態と同様の効果を奏することができる。ただし、この形態では、カバー本体部５０の上面５０１から嵌挿部６０の上面６０１までほぼ水平であり、筐体３を持ち運ぶべく取手孔カバー３５に手を差し込んでも、指先が嵌挿部６０に対してカバー本体部５０の奥部５１で上に向くことがないため、筐体３の持ち運びについては、上記実施形態の方が容易に行える。なお、この形態でも、カバー本体部５０の下面５０２に案内用突部６２を形成しているが（図９、図１０を参照）、この案内用突部６２は特に必要ではなく削除しても構わない。
【００４２】
また、上記実施形態では、可動体６１２を嵌挿部６０の下面６０２に設け、抜け止め用突部５２をカバー本体部５０の上面５０１に設けているが、可動体６１２および抜け止め用突部５２を設ける位置は、これに限られない。たとえば可動体６１２を嵌挿部６０の上面６０１に設け、抜け止め用突部５２をカバー本体部５０の下面５０２に設けてもよい。あるいはまた、左右の面など、それぞれ他の面に設けてもよい。ただし、係止による固定のための力を考えると、可動体６１２および抜け止め用突部５２は、互いに対向する面に設けるのが好ましい。この可動体６１２および抜け止め用突部５２を設ける位置については、図９および図１０に示す形態でも同様である。
【００４３】
また、上記実施形態では、取手孔３３はほぼ矩形にしているが、これに限られず、他の形状でもよい。この場合、カバー本体部５０および嵌挿部６０の断面外形は、取手孔３３の形状に合わせてほぼ同一形状に形成すればよい。
【００４４】
また、上記実施形態ではスロットマシンとしているが、これに限られず、パチンコ機などの他の遊技機としてもよい。
【図面の簡単な説明】
【００４５】
【図１】スロットマシンの外観の要部を示す斜視図である。
【図２】本発明の一実施形態である取手孔カバーを斜め下から見た斜視図である。
【図３】同取手孔カバーを斜め上から見た斜視図である。
【図４】取手孔カバーを示す平面図である。
【図５】取手孔カバーを示す底面図である。
【図６】取手孔カバーを示す左側面図である。
【図７】筐体の側板の部分断面図である。
【図８】取手孔カバーが取手孔に取り付けられた状態を示す部分断面図である。
【図９】別の形態の取手孔カバーを示す左側面図である。
【図１０】図９の取手孔カバーが取手孔に取り付けられた状態を示す部分断面図である。
【符号の説明】
【００４６】
１…スロットマシン、３…筐体、３１…側板、３１１…筐体の内側面、３１２…筐体の外側面、３３…取手孔、３３１…取手孔の内周面、３５…取手孔カバー、５０…カバー本体部、５０１…カバー本体部の上面、５０２…カバー本体部の下面、５１…奥部、５２…抜け止め用突部、６０…嵌挿部、６０１…嵌挿部の上面（係止側面の反対面）、６０２…嵌挿部の下面（係止側面）、６１…可動部、６１２…可動体、６１３…連結部、６１４…フック、６２…案内用突部、６３…傾斜突部、６３２…当接部（当接用突部）、７０…フランジ部、Ｌ１…嵌挿部の軸線、Ｌ２…カバー本体部の軸線、Ｌ３…取手孔の中心軸
【図１】
2005073726.tif 000003
【図２】
2005073726.tif 000004
【図３】
2005073726.tif 000005
【図４】
2005073726.tif 000006
【図５】
2005073726.tif 000007
【図６】
2005073726.tif 000008
【図７】
2005073726.tif 000009
【図８】
2005073726.tif 000010
【図９】
2005073726.tif 000011
【図１０】
2005073726.tif 000012